(57)【要約】      （修正有）【課題】オペレータがジャム媒体を除去する際、ユニット間に手を挟まれて怪我をする可能性を低下させ、また保守員が部品交換等の作業を行う際の作業性を向上させる。【解決手段】ストッパ部材２０を第１の固定部に固定して、中間ユニット１２と上部ユニット１３または上部ユニット１３を上方に回転させたとき、上部ユニット１３に設けた突出部１９がストッパ部材２０のストッパ片に当ることで、第１の搬送路４または第２の搬送路５の開き角度が規制されるようにし、またストッパ部材２０を固定ユニット１１から取外して、中間ユニット１２と上部ユニット１３または上部ユニット１３を回転させた後、ストッパ部材２０を第２の固定部に固定することで第１の搬送路４または第２の搬送路５を大きい角度に開いた状態を保持できるようにした。【選択図】図１
2014006599.tif 000002
【特許請求の範囲】
【請求項１】
固定ユニット、該固定ユニット上に回動可能に設けられる可動ユニット、及び前記固定ユニットと可動ユニットとの間に形成される媒体搬送用の搬送路を有するインサータユニットとを備えた媒体処理装置において、
前記可動ユニット側に伸びるストッパ片を上部に有するストッパ部材を前記固定ユニットの一側後部に固定して、前記可動ユニットを上方に回動させたとき、前記可動ユニットが前記ストッパ部材のストッパ片に当ることで、前記搬送路の開き角度が規制されるようにしたことを特徴とする媒体処理装置。
【請求項２】
請求項１記載の媒体処理装置において、
前記ストッパ部材を前記インサータユニットの固定ユニットから取外すことで、前記インサータユニットの可動ユニットの回動角を大きくできるようにしたことを特徴とする媒体処理装置。
【請求項３】
請求項１または請求項２記載の媒体処理装置において、
前記インサータユニットの可動ユニットの後部側に、該可動ユニットの側方に突出する突出部を設け、
前記インサータユニットの可動ユニットを上方に回動させたとき、前記突出部が前記ストッパ部材のストッパ片に当ることで、前記搬送路の開き角度が規制されるようにしたことを特徴とする媒体処理装置。
【請求項４】
請求項１乃至請求項３のいずれか１項に記載の媒体処理装置において、
前記インサータユニットの固定ユニットの一側後部に、透孔を有する第１の固定部材及び第１の挿入部からなる第１の固定部と、切欠き溝を有する第２の固定部材及び第２の挿入部からなる第２の固定部を設け、
前記ストッパ部材は、垂直部と該垂直部の上端から後方側に斜め上方に伸びるように形成された延伸部と、この延伸部の先端に曲折形成された前記ストッパ片からなる構造として、前記垂直部の下部を下部ユニットの第１の挿入部に挿入し、前記第１の固定部材の透孔に固定ネジを通して前記延伸部に設けられたネジ穴に締結することにより、前記ストッパ部材を前記下部ユニットの第１の固定部に固定し、
前記ストッパ部材を前記下部ユニットの第１の固定部から取外して、前記インサータユニットの搬送路の開き角度が大きくなるように、前記インサータユニットの可動ユニットを上方に回動させた後、前記ストッパ部材の前記垂直部の下部を前記第２の挿入部に挿入し、前記垂直部を前記第２の固定部材の切欠き溝に嵌合させることで、前記ストッパ部材を下部ユニットの第１の固定部に固定して、前記インサータユニットの搬送路の開き角度が大きい状態を保持することを特徴とする媒体処理装置。
【請求項５】
請求項１乃至請求項３のいずれか１項に記載の媒体処理装置において、
前記インサータユニットの固定ユニットの一側後部に、透孔を有する第１の固定部材及び第１の挿入部から成る第１の固定部と、ピンを有する第２の固定部材及び第２の挿入部から成る第２の固定部を設け、
前記ストッパ部材は、垂直部と該垂直部に設けた長穴と、前記垂直部の上端から後方側に斜め上方に伸びるように形成された延伸部と、この延伸部２２の先端に曲折形成された前記ストッパ片からなる構造として、前記垂直部の下部を下部ユニットの第１の挿入部に挿入し、前記第１の固定部材の透孔に固定ネジを通して前記延伸部に設けられたネジ穴に締結することにより、前記ストッパ部材を前記下部ユニットの第１の固定部に固定し、
前記ストッパ部材を前記下部ユニットの第１の固定部から取外して、前記インサータユニットの搬送路の開き角度が大きくなるように、前記インサータユニットの可動ユニットを上方に回動させた後、前記ストッパ部材の前記垂直部の下部を前記第２の挿入部に挿入し、前記長穴を前記ピンに嵌合させることで、前記ストッパ部材を下部ユニットの第１の固定部に固定して、前記インサータユニットの搬送路の開き角度が大きい状態を保持することを特徴とする媒体処理装置。
【請求項６】
請求項３記載の媒体処理装置において、
前記ストッパ部材のストッパ片に前記可動ユニットの突出部に対向する方向の切欠き溝を設け、
前記ストッパ部材を下部ユニットの第１の固定部に固定したとき、前記ストッパ部材のストッパ片を前記可動ユニットの突出部に嵌合させることを特徴とする媒体処理装置。
【請求項７】
請求項１乃至請求項３のいずれか１項に記載の媒体処理装置において、
前記インサータユニットの固定ユニットの一側後部に、Ｌ字型の腕部を有する支持部材を設け、この支持部材と該支持部材に対向する腕部の先端面部とを貫通するように第１のガイドピンを取付けると共に、この第１のガイドピンの下方に位置するように第２のガイドピンを支持部材に取り付け、
垂直部と、この垂直部の上端から後方側に斜め上方に伸びるように形成された延伸部と、この延伸部の先端から前記上部ユニット側に伸びるように曲折形成されたストッパ片から成るストッパ部材を形成して、このストッパ部材の垂直部に上下２個のガイド穴を設け、
前記ストッパ部材を前記支持部材と前記腕部の先端面部との間にいれて、前記ストッパ部材の前記ガイド穴を前記第１、第２のガイドピンに摺動自在に嵌合させ、前記ストッパ部材を前記支持部材側に押し付けるように付勢する付勢手段を設けて、
前記インサータユニットの搬送路の開き角度が大きくなるように、前記インサータユニットの可動ユニットを上方に回転させる際、前記ストッパ部材を前記支持部材から離れる方向に移動させ、前記インサータユニットの搬送路の開き角度を大きくした後、前記ストッパ部材を前記支持部材側に戻して、前記インサータユニットの搬送路の開き角度が大きい状態を保持することを特徴とする媒体処理装置。
【請求項８】
請求項３乃至請求項７のいずれか１項に記載の媒体処理装置において、
前記インサータユニットの可動ユニットとして、前記固定ユニットの直上に配置される第１の可動ユニットと、この第１の可動ユニットの上に配置される第２の可動ユニットを備え、
前記媒体搬送用の搬送路は、前記固定ユニットと前記第１の可動ユニットとの間に形成される第１の搬送路とし、前記第１の可動ユニットと前記第２の可動ユニットの間に媒体搬送用の第２の搬送路を設け、
前記突出部は前記第２の可動ユニットに設けたことを特徴とする媒体処理装置。
【発明の詳細な説明】
【技術分野】
【０００１】
本発明は、金融機関等に設置され、通帳や伝票あるいは証書等の媒体に印字を行う通帳伝票プリンタ等の媒体処理装置に関するもので、特に装置前部のインサータユニット部の開閉構造に関するものである。
【背景技術】
【０００２】
従来のこの種の媒体処理装置として下記特許文献１に開示されるものがある。この媒体処理装置は、装置前部側に位置するインサータユニットとその奥側に位置する印字ユニットを有している。インサータユニットには通帳や証書を挿入セットする第１の挿入口と、この第１の挿入口にセットされた通帳や証書を印字ユニットに搬送する第１の搬送路と、伝票を挿入セットする第２の挿入口と、この第２の挿入口にセットされた伝票を印字ユニットに搬送する第２の搬送路を備えており、印字ユニットは第１の搬送路により搬送されてきた通帳や証書、あるいは第２の搬送路により搬送されてきた伝票に印字を行う印字ヘッドを備えている。
【先行技術文献】
【特許文献】
【０００３】
【特許文献１】特開２００６−７６７９７号公報
【発明の概要】
【発明が解決しようとする課題】
【０００４】
しかしながら、上述した従来の媒体処理装置においては、以下の問題を有している。
すなわち、従来の媒体処理装置において、第１の搬送路または第２の搬送路で通帳や伝票あるいは証書等の媒体のジャムが発生した場合、媒体処理装置を利用するオペレータがジャム媒体を取り除くため、第１の搬送路または第２の搬送路を開く必要があるが、この他にも第１の搬送路または第２の搬送路は、部品交換等のメンテナンスを行うために専門の保守員が開くことがあるので、この部品交換等のメンテナンスを行いやすいように、第１の搬送路または第２の搬送路を大きく開くことができるようになっている。
【０００５】
そのため、第１の搬送路または第２の搬送路で媒体のジャムが発生した場合、主として印字処理を行うユニット開閉操作に不慣れなオペレータがインサータユニットを構成する上部ユニットや中間ユニットを持ち上げて第１の搬送路または第２の搬送路を大きく開くことになる。その場合、第１の搬送路または第２の搬送路を閉じるとき等、インサータユニットの重力が閉じる方向である下方にかかるため、そのユニットの重力によって閉じる際のユニットの速度が大きく加速される。そのためインサータユニットに作業者であるオペレータの手が挟まれる等の事故が生じてオペレータが怪我をする可能性が高くなるという問題がある。
本発明は、このような問題を解決することを課題とする。
【課題を解決するための手段】
【０００６】
そのため、本発明は、固定ユニット、該固定ユニット上に回動可能に設けられる可動ユニット、及び前記固定ユニットと可動ユニットとの間に形成される媒体搬送用の搬送路を有するインサータユニットとを備えた媒体処理装置において、前記可動ユニット側に伸びるストッパ片を上部に有するストッパ部材を前記固定ユニットの一側後部に固定して、前記可動ユニットを上方に回動させたとき、前記可動ユニットが前記ストッパ部材のストッパ片に当ることで、前記搬送路の開き角度が規制されるようにしたことを特徴とする。
【発明の効果】
【０００７】
このようにした本発明は、搬送路を小さい角度と大きい角度に開くことができる。搬送路で媒体のジャムが発生した場合、オペレータが搬送路を小さい角度に開いてジャム媒体を除去することができ、除去作業後、搬送路を閉じる際に、可動ユニットの重力によって可動ユニットの回転速度が大きく加速されることがない。そのため、作業者であるオペレータの手がユニットに挟まれる等の事故が生じにくくなり、メンテナンス作業に不慣れなオペレータが怪我をする可能性を低下させることができるという効果が得られる。
また、訓練された保守員が部品交換等のメンテナンス作業を行う際には、搬送路を大きい角度に開いて、その状態をストッパ部材により保持することができる。そのため、交換すべき部品へのアクセスが容易となり、作業性の向上が図れるという効果も得られる。
【図面の簡単な説明】
【０００８】
【図１】第１の実施例の内部構成を概略的に示した側面図
【図２】ストッパ部材の構造を示す図
【図３】インサータユニットの後部の斜視図
【図４】第１の実施例の作用を示す側面図
【図５】第１の実施例の作用を示す側面図
【図６】第１の搬送路を大きく開いたときのインサータユニットの後部の斜視図
【図７】第２の実施例を示すストッパ部材の側面図
【図８】第３の実施例を示すストッパ部材の構造を示す図
【図９】第４の実施例を示すストッパ部材の構造を示す図
【発明を実施するための形態】
【０００９】
以下、図面を参照して本発明による媒体処理装置の実施例を説明する。
【実施例１】
【００１０】
図１は第１の実施例の内部構成を概略的に示した側面図である。
図において１は媒体処理装置の装置本体で、本媒体処理装置内部のユニットは、インサータユニット２と印字ユニット３に大別され、装置の前部側にインサータユニット２、その後部側に印字ユニット３が配置されている。
インサータユニット２は、媒体である通帳、伝票、証書のそれぞれ所定の位置に印字を行えるように、通帳、伝票、証書を図示しない基準面により整列させた後に印字ユニット３に搬送する機能を有し、印字ユニット３はインサータユニット２から搬送されてくる媒体に印字を行う機能を有している。
【００１１】
インサータユニット２には、通帳や証書を印字ユニット３へ搬送するための第1の搬送路４と、伝票を印字ユニット３へ搬送するための第２の搬送路５が上下２段に設けられている。第1の搬送路４の前端には係員が通帳や証書を挿入してセットする第１の挿入口８が、第２の搬送路５の前端には係員が伝票を挿入してセットする第２の挿入口９がそれぞれ形成されている。そして、第１の挿入口８と第２の挿入口９にそれぞれ基準面が設けられている。
また、第1の搬送路４と第２の搬送路５の後端側は印字ユニット３に設けられた第３の搬送路７の手前で合流しており、その合流部に位置するように図示しないブレードがインサータユニット２に取り付けられている。このブレードにより第１の搬送路４と第３の搬送路７、第２の搬送路５と第３の搬送路７を連結するための切替えが行われるようになっている。
【００１２】
ここで、インサータユニット２は、下部ユニット（固定ユニット）１１と、該下部ユニット１１の直上に配置された中間ユニット（第１の可動ユニット）１２と、この中間ユニット１２の上に配置された上部ユニット（第２の可動ユニット）１３により構成されている。第１の搬送路４は下部ユニット１１の上面と中間ユニット１２の下面により形成され、第２の搬送路５は中間ユニット１２の上面と上部ユニット１３の下面により形成されていて、通帳や証書及び伝票を挟持して搬送するフィードローラ対が第１の搬送路４及び第２の搬送路５に沿って下部ユニット１１と中間ユニット１２と上部ユニット１３に設けられている。
【００１３】
下部ユニット１１は装置本体１の内部底面に固定されている。この下部ユニット１１の後端側に設けられた左右一対の取付け部１８に、中間ユニット１２と上部ユニット１３の後端部には一連に通した軸１０の両端が取付けられている。この軸１０により、中間ユニット１２と上部ユニット１３は下部ユニット１１に対して軸１０を中心に上下方向に回動することができる構造となっている。また、上部ユニット１３の後部側には、側方に突出するように板状の突出部１９が形成されている。
【００１４】
１４は中間ユニット１２の先端側に回転可能に設けられた第１のロックレバ、１６は上部ユニット１３の先端側に回転可能に設けられた第２のロックレバである。第１のロックレバ１４は下部ユニット１１に設けられた第１のロックピン１５と係合し、第２のロックレバ１６は中間ユニット１２に設けられた第２のロックピン１７と係合するように設けられている。これにより第１の搬送路４及び第２の搬送路５が開かないように中間ユニット１２と上部ユニット１３をロックできるようになっている。
【００１５】
尚、第１のロックレバ１４及び第２のロックレバ１６は、それぞれ第１のロックピン１５及び第２のロックピン１７と係合する方向に、図示しないトーションスプリング等の付勢手段により付勢されている。
２０はストッパ部材、２５及び２６は下部ユニット１１の一側後部側に設けられた穴状（窪み状）の第１及び第２の挿入部である。第１の挿入部２５は第２の挿入部２６より装置前部側に設けられていて、それぞれストッパ部材２０の下部を挿入できるように形成されている。
【００１６】
図２はストッパ部材２０の構造を示す図で、同図（ａ）は側面図、同図（ｂ）は前部側から見た正面図である。この図に示したようにストッパ部材２０は、所定の長さを有する垂直部２１と、この垂直部２１の上端から印字ユニット３側（装置後部側）に斜め上方に伸びるように形成された延伸部２２と、この延伸部２２の先端から上部ユニット１３側に伸びるように曲折形成されたストッパ片２３によって構成されている。また、延伸部２２の所定の位置にはネジ穴２４が設けられている。
【００１７】
図３はインサータユニット２の後部の斜視図で、下部ユニット１１の後部の所定位置には第１の挿入部２５と共に第１の固定部を成す第１の固定部材２７が設けられている。この第１の固定部材２７にはストッパ部材２０の垂直部２１の下端を第１の挿入部２５に挿入したとき、延伸部２２に設けられているネジ穴２４と対応する位置に穴（透孔）２８が設けられている。この穴に図示しない固定ネジを通して延伸部２２のネジ穴２４に締結することで、ストッパ部材２０が下部ユニット１１に固定されるようになっている。この固定状態においてストッパ部材２０のストッパ片２３は、上部ユニット１３の後部側に形成された突出部１９から後方側に所定の間隔をあけて位置するように、ストッパ部材２０の延伸部２２の長さが決められている。
【００１８】
尚、上部ユニット１３の突出部１９とストッパ部材２０のストッパ片２３には、側面から見て傾斜がつけられている。この傾斜は上部ユニット１３が軸１０を中心に上方に回転したとき、上部ユニット１３の突出部１９がストッパ部材２０のストッパ片２３に平行に突き当たるように設定されている。
また、下部ユニット１１の後部には第１の固定部材２７より印字ユニット３側に位置するように第２の固定部材２９が設けられ、第２の固定部材２９には第２の挿入部２６の上方に位置するように切欠き溝３０が設けられている。この第２の固定部材２９は第２の挿入部２６と共に第２の固定部を成すものである。
【００１９】
一方、印字ユニット３は、下部ユニット３１と上部ユニット３２から成る２層の構造に構成されている。第３の搬送路７は下部ユニット３１の上面と上部ユニット３２の下面により形成されていて、通帳や証書及び伝票を挟持して搬送するフィードローラ対が第３の搬送路７に沿って下部ユニット３１と上部ユニット３２に設けられている。また、上部ユニット３２は所定の位置に設けられた軸３３を中心にして上下方向に回動することができる構造となっている。
【００２０】
上述した構成の作用について説明する。図４及び図５は上述した構成の作用を示す側面図である。今、図３に示したように、ストッパ部材２０の垂直部２１の下部を下部ユニット１１の第１の挿入部２５に挿入し、下部ユニット１１に設けられた第１の固定部材２７の穴２８に図示しない固定ネジを通してストッパ部材２０の延伸部２２に設けられたネジ穴２４に締結することにより、ストッパ部材２０が下部ユニット１１に固定されているものとする。
【００２１】
また、図１に示したように第１のロックレバ１４が下部ユニット１１に設けられた第１のロックピン１５と係合し、第２のロックレバ１６は中間ユニット１２に設けられた第２ピン１７と係合して、これにより第１の搬送路４及び第２の搬送路５が開かないように中間ユニット１２と上部ユニット１３がロックされているものとする。
【００２２】
この状態で第１の搬送路４を小さい角度に開きたい場合には、まず、図４（ａ）に示したように、中間ユニット１２に設けられた第１のロックレバ１４を手で上方に持ち上げると、下部ユニット１１に設けられた第１のロックピン１５から第１のロックレバ１４が外れて、下部ユニット１１と中間ユニット１２のロックが解除される。下部ユニット１１と中間ユニット１２のロックを解除した後、そのまま第１のロックレバ１４を持ち上げることで、中間ユニット１２と上部ユニット１３は軸１０を中心に上方に回転し、第１の搬送路４が開いて行く。
【００２３】
そして、更に第１のロックレバ１４を手で持ち上げて行くと、上部ユニット１３の突出部１９の外面がストッパ部材２０のストッパ片２３の内面に突き当たる。これにより中間ユニット１２と上部ユニット１３の回動は停止するため、第１の搬送路４の開き角度が規制され、第１の搬送路４が小さい角度に開いた状態となる。
【００２４】
第１の搬送路４を閉じる場合は、第１のロックレバ１４を持った手をゆっくり下ろして行くと、中間ユニット１２と上部ユニット１３は自重により軸１０を中心に下方に回動して行く。そして、そのまま中間ユニット１２と上部ユニット１３を一定の位置まで下方に回転させた後、第１のロックレバ１４から手を離すと、図示しない付勢手段の付勢力により第１のロックレバ１４が第１のロックピン１５に係合して、中間ユニット１２がロックされ、第１の搬送路４は閉じた状態になる。
【００２５】
第２の搬送路５を小さい角度に開きたい場合には、第１図の状態から図４（ｂ）に示したように、上部ユニット１３に設けられた第２のロックレバ１６を手で上方に持ち上げると、中間ユニット１２に設けられた第２のロックピン１７から第２のロックレバ１６が外れて、上部ユニット１３と中間ユニット１２のロックが解除される。上部ユニット１３と中間ユニット１２のロックを解除した後、そのまま第２のロックレバ１６を持ち上げることで、上部ユニット１３は軸１０を中心に回動する。このとき中間ユニット１２に設けられた第１のロックレバ１４は下部ユニット１１に設けられた第１のロックピン１５と係合しているので中間ユニット１２はロックされており、上部ユニット１３のみが回動して第２の搬送路５が開いて行く。そして、更に第２のロックレバ１６を手で持ち上げて行くと、上部ユニット１３の突出部１９の外面がストッパ部材２０のストッパ片２３の内面に突き当たる。これにより上部ユニット１３の回動は停止するため、第２の搬送路５の開き角度が規制され、第２の搬送路５が小さい角度に開いた状態となる。
【００２６】
第２の搬送路５を閉じる場合は、第２のロックレバ１６を持った手をゆっくり下ろして行くと、上部ユニット１３は自重により軸１０を中心に下方に回動して行く。そのまま上部ユニット１３を一定の位置まで下方に回動させた後、第２のロックレバ１６から手を離すと、図示しない付勢手段の付勢力により第２のロックレバ１６が第２のロックピン１７に係合して、上部ユニット１３がロックされ、第２の搬送路５は閉じた状態になる。
【００２７】
以上のように第１の搬送路４と第２の搬送路５をそれぞれ小さい角度に開くことができるので、中間ユニット１２と上部ユニット１３の開閉角度を大きくする必要のないジャム媒体の除去等が行う場合は、第１の搬送路４と第２の搬送路５をそれぞれ小さい角度に開いた状態で作業を行うことが可能になる。
【００２８】
次に第１の搬送路４と第２の搬送路５とを大きい角度に開く場合について説明する。第１の搬送路４と第２の搬送路５とを大きい角度に開く場合は、印字ユニット３がインサータユニット２の上部ユニット１３に干渉する。そのため、図１及び図３の状態から図５（ａ）に示すように軸３３を中心に印字ユニット３の上部ユニット３２を上方に回転させて開き、中間ユニット１２と上部ユニット１３の回転角を大きくできるようにしておく。
また、ストッパ部材２０を下部ユニット１１に固定している図示しない固定ネジを緩めて取外し、ストッパ部材２０の垂直部２１の下部を下部ユニット１１の第１の挿入部２５から引き抜いて、ストッパ部材２０を下部ユニット１１から取外す。
【００２９】
この状態で、第１の搬送路４を大きい角度に開く場合には、中間ユニット１２に設けられた第１のロックレバ１４を手で上方に持ち上げる。これにより、下部ユニット１１に設けられた第１のロックピン１５から第１のロックレバ１４が外れて、下部ユニット１１と中間ユニット１２のロックが解除されるので、そのまま第１のロックレバ１４を持ち上げることで、中間ユニット１２と上部ユニット１３は軸１０を中心に上方に回動し、第１の搬送路４が開いて行く。
【００３０】
そして、更に第１のロックレバ１４を手で持ち上げて行くと、それに伴って中間ユニット１２と上部ユニット１３は軸１０を中心に上方に回転するが、このときストッパ部材２０が取外してあるので、図５（ｂ）に示したように上部ユニット１３の上面が既に開いてある印字ユニット３の上部ユニット３２の先端に達するまで中間ユニット１２と上部ユニット１３を回動させることができる。上部ユニット３２の先端付近まで開いてから中間ユニット１２と上部ユニット１３の回動を停止させることで、第１の搬送路４を大きい角度に開いた状態にする。
【００３１】
その後、ストッパ部材２０の垂直部２１の下部を下部ユニット１１に設けられている第２の挿入部２６に挿入する。ストッパ部材２０の垂直部２１の所定個所を下部ユニット１１に設けられた第２の固定部材２９の切欠き溝３０に嵌合させることで、ストッパ部材２０を下部ユニット１１に取付けるが、その際ストッパ部材２０のストッパ片２３を上部ユニット１３の突出部１９の内面側に入り込ませる。
【００３２】
図６は第１の搬送路４を大きく開いたときのインサータユニット２の後部の斜視図である。この図６に示したようにストッパ部材２０を下部ユニット１１に取付け、ストッパ部材２０のストッパ片２３を上部ユニット１３の突出部１９の内面側に入り込ませている。これにより、中間ユニット１２と上部ユニット１３の自重により閉じる方向の力が働いた場合や、中間ユニット１２と上部ユニット１３の閉じる方向の力が加わった場合でも、上部ユニット１３の突出部１９の内面がストッパ部材２０のストッパ片２３の外面に突き当たる。従って、中間ユニット１２と上部ユニット１３の閉じる動作が阻止され、第１の搬送路４を大きい角度に開いた状態を保持することができる。
【００３３】
この状態では、上部ユニット１３を印字ユニット３側へ回動させようとした場合、上部ユニット１３が印字ユニット３の上部ユニット３２と接触して回動が阻止される。
第１の搬送路４を閉じる場合は、ストッパ部材２０の垂直部２１の所定個所を下部ユニット１１に設けられた第２の固定部材２９の切欠き溝３０から外し、ストッパ部材２０の垂直部２１の下部を下部ユニット１１に設けられている第２の挿入部２６から引き抜いてストッパ部材２０を下部ユニット１１から取外す。
【００３４】
そして、第１のロックレバ１４を手で持ち、その手をゆっくり下ろしてゆくと、中間ユニット１２と上部ユニット１３は自重により軸１０を中心に下方に回動して行く。そのまま中間ユニット１２と上部ユニット１３を一定の位置まで下方に回動させた後、第１のロックレバ１４から手を離すと、図示しない付勢手段の付勢力により第１のロックレバ１４が第１のロックピン１５に係合して、中間ユニット１２がロックされることで、第１の搬送路４は閉じた状態になる。
第２の搬送路５を大きい角度に開く場合には、上述したように図１及び図３の状態から図５（ａ）に示すように軸３３を中心に印字ユニット３の上部ユニット３２を上方に回動させて開き、ストッパ部材２０を下部ユニット１１から取外しておく。
【００３５】
この状態で上部ユニット１３に設けられた第２のロックレバ１６を手で上方に持ち上げると、中間ユニット１２に設けられた第２のロックピン１７から第２のロックレバ１６が外れて、上部ユニット１３と中間ユニット１２のロックが解除される。上部ユニット１３と中間ユニット１２のロックを解除した後、そのまま第２のロックレバ１６を持ち上げることで、上部ユニット１３は軸１０を中心に回動する。このとき中間ユニット１２に設けられた第１のロックレバ１４は下部ユニット１１に設けられた第１のロックピン１５と係合されているため、中間ユニット１２はロックされ、上部ユニット１３のみが回動して第２の搬送路５が開いて行く。
【００３６】
そして、更に第２のロックレバ１６を持ち上げて行くと、それに伴って上部ユニット１３は軸１０を中心に上方に回動するが、このときストッパ部材２０が取り外してあるので、上部ユニット１３の上面が既に開いてある印字ユニット３の上部ユニット３２の先端に達するまで上部ユニット１３を回動させることができる。上部ユニット３２の先端付近まで上部ユニット１３を開いてから回動を停止させることで、第２の搬送路５を大きい角度に開いた状態にする。その後、ストッパ部材２０の垂直部２１の下部を下部ユニット１１に設けられている第２の挿入部２６に挿入する。ストッパ部材２０の垂直部２１の所定個所を下部ユニット１１に設けられた第２の固定部材２９の切欠き溝３０に嵌合させることで、ストッパ部材２０を下部ユニット１１に取付けるが、その際ストッパ部材２０のストッパ片２３が上部ユニット１３の突出部１９の内面側に入り込ませる。
【００３７】
このようにすることで上部ユニット１３の自重により閉じる方向の力が働いた場合や、上部ユニット１３の閉じる方向の力が加わった場合でも、上部ユニット１３の突出部１９の内面がストッパ部材２０のストッパ片２３の外面に突き当たる。これにより、上部ユニット１３の閉じる動作が阻止され、第２の搬送路５を大きい角度に開いた状態を保持することができる。
この状態でも、上部ユニット１３を印字ユニット３側へ回転させようとした場合、上部ユニット１３が印字ユニット３の上部ユニット３２と接触して、回動が阻止される。
【００３８】
第２の搬送路５を閉じる場合は、ストッパ部材２０の垂直部２１の所定個所を下部ユニット１１に設けられた第２の固定部材２９の切欠き溝３０から外し、ストッパ部材２０の垂直部２１の下部を下部ユニット１１に設けられている第２の挿入部２６から引き抜いてストッパ部材２０を下部ユニット１１から取外す。そして、第２のロックレバ１６を手で持ち、その手をゆっくり下ろして行くと、上部ユニット１３は自重により軸１０を中心に下方に回転して行く。そのまま一定の位置まで上部ユニット１３を下方に回動させた後、第２のロックレバ１６から手を離すと、図示しない付勢手段の付勢力により第２のロックレバ１６が第２のロックピン１７に係合して、上部ユニット１３がロックされることで、第２の搬送路５は閉じた状態になる。
【００３９】
尚、第２の搬送路５を大きい角度に開く場合、次の手順で行うようにしてもよい。すなわち、第１の搬送路４を大きい角度に開いた状態にした後、ストッパ部材２０の垂直部２１の下部を下部ユニット１１に設けられている第２の挿入部２６に挿入し、ストッパ部材２０の垂直部２１の所定個所を下部ユニット１１に設けられた第２の固定部材２９の切欠き溝３０に嵌合させることで、ストッパ部材２０を下部ユニット１１に取付ける。そして、上部ユニット１３に設けられた第２のロックレバ１６を上方に持ち上げて、中間ユニット１２に設けられた第２のロックピン１７から第２のロックレバ１６を外す。これにより、上部ユニット１３と中間ユニット１２のロックを解除し、第１のロックレバ１４を手で持って中間ユニット１２を自重により軸１０を中心に下方に回転させる。そのまま中間ユニット１２を一定の位置まで下方に回動させた後、第１のロックレバ１４から手を離すと、図示しない付勢手段の付勢力により第１のロックレバ１４が第１のロックピン１５に係合して中間ユニット１２がロックされることで、第１の搬送路４が閉じて第２の搬送路５が大きい角度に開いた状態になる。
【００４０】
以上説明したように、第１の実施例では、第１の搬送路４と第２の搬送路５を、それぞれ小さい角度と大きい角度に開くことができるようにしている。これにより、第１の搬送路４または第２の搬送路５で媒体のジャムが発生した場合、オペレータが第１の搬送路４または第２の搬送路５を小さい角度に開いてジャム媒体を除去することができる。また、除去作業後、第１の搬送路４または第２の搬送路５を閉じる際に、中間ユニット１２と上部ユニット１３の重力または上部ユニット１３の重力によって中間ユニット１２と上部ユニット１３の回転速度または上部ユニット１３の回転速度が大きく加速されることがない。そのため作業者であるオペレータが中間ユニット１２と下部ユニット１１または中間ユニット１２と上部ユニット１３とで手を挟まれる等の事故が生じにくくなり、メンテナンス作業に不慣れなオペレータが怪我をする可能性を低下させることができるという効果が得られる。
【００４１】
また、訓練された保守員が部品交換等のメンテナンス作業を行う際には、第１の搬送路４または第２の搬送路５を大きい角度に開いて、その状態をストッパ部材２０により保持することができる。これにより、交換すべき部品へのアクセスが容易となり、作業性の向上が図れるという効果も得られる。
【実施例２】
【００４２】
図７は本発明の第２の実施例を示すストッパ部材２０の側面図である。この実施例はストッパ部材２０の垂直部２１の所定の位置に垂直方向に長い長穴３４を設け、この長穴３４に嵌合可能なピン３５を、図３及び図６に示す第２の固定部材２９の切欠き溝３０に替えて第２の固定部材２９の所定の位置に設けたものである。この他の構成は第１の実施例と同様である。
このようにしたストッパ部材２０を使用する第２の実施例は、第１の実施例と同様に垂直部２１の下部を下部ユニット１１の第１の挿入部２５に挿入し、下部ユニット１１に設けられた第１の固定部材２７の穴２８に図示しない固定ネジを通して延伸部２２のネジ穴２４に締結することにより、ストッパ部材２０を下部ユニット１１に固定することができる。
【００４３】
そして、第１の搬送路４または第２の搬送路５を大きい角度に開く場合、ストッパ部材２０を第１の実施例と同様に下部ユニット１１から取り外し、下部ユニット１１に設けられた第１のロックピン１５から第１のロックレバ１４を外して下部ユニット１１と中間ユニット１２のロックを解除する。または、中間ユニット１２に設けられた第２のロックピン１７から第２のロックレバ１６を外して、上部ユニット１３と中間ユニット１２のロックを解除する。その後、第１の実施例と同様に第１の搬送路４または第２の搬送路５を大きい角度に開く。
【００４４】
その後、ストッパ部材２０の垂直部２１の下部を下部ユニット１１に設けられている第２の挿入部２６に挿入し、ストッパ部材２０の長穴３４を第２の固定部材２９のピン３５に嵌合させ、その際ストッパ部材２０のストッパ片２３を上部ユニット１３の突出部１９の内面側に入り込ませて、ストッパ部材２０を下部ユニット１１に固定する。
【００４５】
このようにすることで上部ユニット１３の自重により閉じる方向の力が働いた場合や、上部ユニット１３の閉じる方向の力が加わった場合でも、上部ユニット１３の突出部１９の内面がストッパ部材２０のストッパ片２３の外面に突き当たって、閉じる動作が阻止される。これにより、第１の搬送路４または第２の搬送路５を大きい角度に開いた状態を保持することができる。
第１の搬送路４または第２の搬送路５を閉じる場合は、ストッパ部材２０の長穴３４を第２の固定部材２９のピン３５から外す以外は、第１の実施例の操作と同様である。また、第１の搬送路４または第２の搬送路５を小さい角度に開く場合のストッパ部材２０の使用方法も第１の実施例と同様である。
以上説明した第２の実施例でも、第１の実施例と同様の効果が得られる。
【実施例３】
【００４６】
図８は本発明の第３の実施例を示すストッパ部材の構造を示す図で、同図（ａ）は側面図、同図（ｂ）は前部側から見た正面図、同図（ｃ）は同図（ａ）を矢印Ａ方向から見たストッパ片を示す図である。この実施例はストッパ部材２０のストッパ片２３に、上部ユニット１３の突出部１９と嵌合可能な切欠き溝３６を設けたもので、この他の構成は第１の実施例と同様である。
このようにしたストッパ部材２０を使用する第３の実施例は、第１の実施例と同様に垂直部２１の下部を下部ユニット１１の第１の挿入部２５に挿入し、下部ユニット１１に設けられた第１の固定部材２７の穴２８に図示しない固定ネジを通して延伸部２２のネジ穴２４に締結することにより、下部ユニット１１に固定することができる。
【００４７】
そして、第１の搬送路４または第２の搬送路５を大きい角度に開く場合、このストッパ部材２０を第１の実施例と同様に下部ユニット１１から取り外し、下部ユニット１１に設けられた第１のロックピン１５から第１のロックレバ１４を外して下部ユニット１１と中間ユニット１２のロックを解除する。または、中間ユニット１２に設けられた第２のロックピン１７から第２のロックレバ１６を外して、上部ユニット１３と中間ユニット１２のロックを解除する。その後、第１の実施例と同様に第１の搬送路４または第２の搬送路５を大きい角度に開く。
【００４８】
その後、ストッパ部材２０の垂直部２１の下部を下部ユニット１１に設けられている第２の挿入部２６に挿入し、ストッパ部材２０の垂直部２１の所定個所を下部ユニット１１に設けられた第２の固定部材２９の切欠き溝３０に嵌合させ、更にストッパ部材２０のストッパ片２３に設けた切欠き溝３６を上部ユニット１３の突出部１９と嵌合させる。これにより、ストッパ部材２０を下部ユニット１１に固定すると共に、上部ユニット１３を固定する。
【００４９】
このようにすることで上部ユニット１３の自重により閉じる方向の力が働いた場合や、上部ユニット１３の閉じる方向の力が加わった場合でも、ストッパ部材２０のストッパ片２３に設けた切欠き溝３６が上部ユニット１３の突出部１９と嵌合して、上部ユニット１３を固定しているため閉じる動作が阻止される。これにより、第１の搬送路４または第２の搬送路５を大きい角度に開いた状態を保持することができる。
【００５０】
第１の搬送路４または第２の搬送路５を閉じる場合は、ストッパ部材２０のストッパ片２３に設けた切欠き溝３６を上部ユニット１３の突出部１９から外す以外は、第１の実施例の操作と同様である。また、第１の搬送路４または第２の搬送路５を小さい角度に開く場合のストッパ部材２０の使用方法も第１の実施例と同様である。
以上説明した第３の実施例でも、第１の実施例と同様の効果が得られる。
【実施例４】
【００５１】
図９は本発明の第４の実施例を示すストッパ部材の構造を示す図で、同図（ａ）は側面図、同図（ｂ）は前部側から見た正面図である。この実施例は、以下の構造としたものである。すなわち、下部ユニット１１の一側後部の所定位置にＬ字型の腕部３７を有するブラケット等の支持部材３８を設け、この支持部材３８と該支持部材３８に対向する腕部３７の先端面部とを貫通するように所定の軸長を有する第１のガイドピン３９を取付けると共に、この第１のガイドピン３９の下方に位置するように該第１のガイドピン３９より軸長の短い第２のガイドピン４０を支持部材３８に取り付ける。
【００５２】
また、所定の長さを有する垂直部４１と、この垂直部４１の上端から後方側に斜め上方に伸びるように形成された延伸部４２と、この延伸部４２の先端から上部ユニット１３側に伸びるように曲折形成されたストッパ片４３から成るストッパ部材４４を形成し、このストッパ部材４４の垂直部４１に上下２個のガイド穴を設けておく。
【００５３】
そして、ストッパ部材４４を支持部材３８と腕部３７の先端面部との間にいれて、ストッパ部材４４の垂直部４１に設けた両ガイド穴を支持部材３８に取付けた第１のガイドピン３９と第２のガイドピン４０のそれぞれに摺動自在に嵌合させる。更に、第１のガイドピン３９の途中にＥリング等の係止部材４５を取付けてこの係止部材４５とストッパ部材４４との間に、該ストッパ部材４４を支持部材３８側に押し付けるように矢印Ｂ方向に付勢する付勢手段としてのコイルスプリング４６を設けたものとしている。
【００５４】
次に、上述した構成の作用について説明する。まず、第１の搬送路４または第２の搬送路５を小さい角度に開く場合、下部ユニット１１に設けられた第１のロックピン１５から第１のロックレバ１４を外して下部ユニット１１と中間ユニット１２のロックを解除する。または、中間ユニット１２に設けられた第２のロックピン１７から第２のロックレバ１６を外して、上部ユニット１３と中間ユニット１２のロックを解除する。その後、第１のロックレバ１４または第２のロックレバ１６を持ち上げることで、軸１０を中心に中間ユニット１２と上部ユニット１３または上部ユニット１３を上方に回動させて、第１の搬送路４または第２の搬送路５を開いて行く。
【００５５】
そして、更に第１のロックレバ１４または第２のロックレバ１６を持ち上げて行くと上部ユニット１３の突出部１９の外面がストッパ部材４４のストッパ片４３の内面に突き当たる。これにより、中間ユニット１２と上部ユニット１３または上部ユニット１３の回動は停止して、第１の搬送路４または第２の搬送路５が小さい角度に開いた状態となる。
【００５６】
次に、第１の搬送路４または第２の搬送路５を大きい角度に開く場合、小さい角度に開く場合と同様に、第１のロックレバ１４または第２のロックレバ１６を一方の手で持ち上げる。これにより、上部ユニット１３の突出部１９の外面がストッパ部材４４のストッパ片４３の内面に突き当たるまで、軸１０を中心に中間ユニット１２と上部ユニット１３または上部ユニット１３を上方に回動させる。
【００５７】
そして、ストッパ部材４４の延伸部４２等に他方の手の指を掛け、ストッパ部材４４のストッパ片４３が上部ユニット１３の突出部１９から外れるように、コイルスプリング４６に抗してストッパ部材４４を矢印Ｃ方向に移動させて支持部材３８から引き離す。これにより、ストッパ部材４４のストッパ片４３が上部ユニット１３の突出部１９から外れ、更に中間ユニット１２と上部ユニット１３または上部ユニット１３を上方に回動させることで第１の搬送路４または第２の搬送路５を大きい角度に開く。
【００５８】
その後、ストッパ部材４４の延伸部４２等に掛けた指を外すと、ストッパ部材４４はコイルスプリング４６の付勢力により矢印Ｂ方向に移動して支持部材３８側に戻り、ストッパ部材４４のストッパ片４３が上部ユニット１３の突出部１９の内側に入り込む。
そのため、中間ユニット１２と上部ユニット１３の自重により閉じる方向の力が働いた場合や、中間ユニット１２と上部ユニット１３の閉じる方向の力が加わった場合でも、上部ユニット１３の突出部１９の内面がストッパ部材４４のストッパ片４３の外面に突き当たって、閉じる動作が阻止される。これにより、第１の搬送路４または第２の搬送路５の大きい角度に開いた状態を保持することができる。
この状態では、上部ユニット１３を印字ユニット３側へ回動させようとした場合、上部ユニット１３が印字ユニット３の上部ユニット３２と接触して回動が阻止される。
【００５９】
第１の搬送路４または第２の搬送路５を閉じる場合は、第１のロックレバ１４または第２のロックレバ１６を一方の手で持ち、ストッパ部材４４の延伸部４２等に他方の手の指を掛け、ストッパ部材４４のストッパ片４３が上部ユニット１３の突出部１９から外れるように、コイルスプリング４６に抗してストッパ部材４４を矢印Ｃ方向に移動させて支持部材３８から引き離す。そして、第１のロックレバ１４または第２のロックレバ１６を持った手をゆっくり下ろして行くと、中間ユニット１２と上部ユニット１３は自重により軸１０を中心に下方に回動して行く。そのまま中間ユニット１２と上部ユニット１３を一定の位置まで下方に回動させた後、第１のロックレバ１４または第２のロックレバ１６から手を離すと、図示しない付勢手段の付勢力により第１のロックレバ１４または第２のロックレバ１６が第１のロックピン１５または第２のロックピン１７に係合して、中間ユニット１２または上部ユニット１３がロックされる。これにより、第１の搬送路４または第２の搬送路５は閉じた状態になる。
【００６０】
ストッパ部材４４は、上部ユニット１３の突出部１９がストッパ片４３の位置を通過した後、延伸部４２等に掛けた指を外すと、コイルスプリング４６の付勢力により矢印Ｂ方向に移動して支持部材３８側に戻る。
以上説明した第４の実施例でも、第１の実施例と同様の効果が得られる他、第１の搬送路４または第２の搬送路５を大きく開いたり閉じたりする際に、ストッパ部材４４を下部ユニット１１から取外す必要が無い。そのため、ストッパ部材４４を指で支持部材３８から離れる方向、支持部材３８に近づく方向に移動させるだけで第１の搬送路４または第２の搬送路５を大きく開いたり閉じたりすることができるので、開閉の操作性が向上するという効果も得られる。
【符号の説明】
【００６１】
１    装置本体
２    インサータユニット
３    印字ユニット
４    第1の搬送路
５    第２の搬送路
７    第３の搬送路
８    第１の挿入口
９    第２の挿入口
１０  軸
１１  下部ユニット
１２  中間ユニット
１３  上部ユニット
１４  第１のロックレバ
１５  第１のロックピン
１６  第２のロックレバ
１７  第２のロックピン
１８  取付け部
１９  突出部
２０  ストッパ部材
２１  垂直部
２２  延伸部
２３  ストッパ片
２４  ネジ穴
２５  第１の挿入部
２６  第２の挿入部
２７  第１の固定部材
２８  穴
２９  第２の固定部材
３０  切欠き溝
３１  下部ユニット
３２  上部ユニット
３３  軸
３４  長穴
３５  ピン
３６  切欠き溝
３７  腕部
３８  支持部材
３９  第１のガイドピン
４０  第２のガイドピン
４１  垂直部
４２  延伸部
４３  ストッパ片
４４  ストッパ部材
４５  係止部材
４６  コイルスプリング
【図１】
2014006599.tif 000003
【図２】
2014006599.tif 000004
【図３】
2014006599.tif 000005
【図４】
2014006599.tif 000006
【図５】
2014006599.tif 000007
【図６】
2014006599.tif 000008
【図７】
2014006599.tif 000009
【図８】
2014006599.tif 000010
【図９】
2014006599.tif 000011